(57)【特許請求の範囲】
【請求項１】
複数のコイルが平面に沿って配列された２つの領域であって、それぞれの領域が対向する状態である折り畳み状態と、それぞれの領域が対向しない状態である見開き状態とに切り替え可能な２つの領域を有する検出部と、
前記検出部の前記２つの領域が前記折り畳み状態であるか、又は、前記見開き状態であるかを判断する第１判断手段と、
前記第１判断手段によって前記折り畳み状態であると判断された場合、前記検出部の状態を、消費電流が相対的に大きい通常状態から、相対的に小さい省電力状態に切り替える切替手段と
を備え、
前記検出部は、前記通常状態において、
前記２つの領域のうち一方を、前記複数のコイルに電流が通電された送信状態及び前記複数のコイルの誘導電流を検出可能な受信状態が交互に切り替わる送受信状態とし、同時に、前記２つの領域のうち他方を、前記複数のコイルの前記誘導電流を検出可能な受信状態が維持される連続受信状態とした第１状態と、
前記一方を前記連続受信状態とし、前記他方を前記送受信状態とした第２状態と
に交互に切り替え、
前記第１判断手段は、
前記連続受信状態である前記２つの領域の何れかの前記複数のコイルに前記誘導電流が検出されない場合、前記見開き状態と判断し、前記誘導電流が検出された場合、前記折り畳み状態であると判断することを特徴とする情報入力装置。
【請求項２】
前記切替手段は、
前記２つの領域のうち一方の前記複数のコイルのうち、一部の複数のコイルのみに電流を通電させた第１省電力状態に切り替える第１切替手段を更に備えたことを特徴とする請求項１に記載の情報入力装置。
【請求項３】
前記第１切替手段は、
前記一部の複数のコイルのみに電流を間欠的に通電させた前記第１省電力状態に切り替えることを特徴とする請求項２に記載の情報入力装置。
【請求項４】
前記切替手段は、
前記２つの領域のそれぞれの前記複数のコイルへの通電を停止させた第２省電力状態に切り替える第２切替手段を更に備えたことを特徴とする請求項１から３の何れかに記載の情報入力装置。
【請求項５】
前記第１判断手段によって前記折り畳み状態であると判断されてからの経過時間が所定時間よりも小さい場合、前記第１省電力状態を維持することを特徴とする請求項２又は３に記載の情報入力装置。
【請求項６】
前記第２切替手段は、
前記第１判断手段によって前記折り畳み状態であると判断されてからの経過時間が所定時間以上の場合、前記第２省電力状態に切り替えることを特徴とする請求項４に記載の情報入力装置。
【請求項７】
前記検出部を前記第１状態と前記第２状態とに切り替える制御を行う制御部を備え、
前記第２切替手段は、前記制御部に供給される電源をＯＦＦすることによって前記第２省電力状態に切り替えることを特徴とする請求項６に記載の情報入力装置。
【発明の詳細な説明】
【技術分野】
【０００１】
本発明は、ユーザが紙媒体に筆記具で筆記したときの筆記具の移動軌跡を電子化することによって、ユーザが筆記した情報を取得可能な情報入力装置に関する。
【背景技術】
【０００２】
台座上に載置された紙媒体に筆記具で筆記された場合の筆記具の移動軌跡を電子化することが可能な情報入力装置が知られている。特許文献１は、複数のコイルを内蔵した２つの筐体からなる情報入力装置を開示する。情報入力装置は、バッテリーを電源として駆動する。２つの筐体は、未使用時に折り畳まれ、使用時に見開かれる。見開かれた状態の２つの筐体には、冊子状の紙媒体が載置される。この状態で、情報入力装置は、複数のコイルに通電することによって誘導磁界を発生させる。筆記具に内蔵されたコイルには、情報入力装置から発生した誘導磁界に応じて、誘導電流が流れる。筆記具は、コイルに誘導電流が流れることに応じて、誘導磁界を発生させる。情報入力装置は、筆記具から発生した誘導磁界を、複数のコイルによって検出する。これによって情報入力装置は、筆記具の位置を特定する。
【先行技術文献】
【特許文献】
【０００３】
【特許文献１】特開２０１４−９６０７１号公報
【発明の概要】
【発明が解決しようとする課題】
【０００４】
バッテリー消費を抑制するために、情報入力装置は、２つの筐体が折り畳まれた未使用時に省電力モードで動作することが好ましい。この場合、情報入力装置は、２つの筐体が折り畳まれたことを検出する必要がある。しかしながら、例えば、情報入力装置に電源スイッチを付加し、２つの筐体が折り畳まれたことを電源スイッチによって情報入力装置に通知する場合、ユーザは、手動で電源スイッチを操作しなければならず、煩わしいという問題点がある。又、例えば、情報入力装置にセンサを付加し、２つの筐体が折り畳まれたことをセンサによって検出させる場合、センサを情報入力装置に新たに付加する必要があり、装置のコストが増大するという問題点がある。
【０００５】
本発明の目的は、２つの筐体が折り畳まれたときの消費電力を、簡易な構成で抑制できる情報入力装置を提供することである。
【課題を解決するための手段】
【０００６】
本発明の情報入力装置は、複数のコイルが平面に沿って配列された２つの領域であって、それぞれの領域が対向する状態である折り畳み状態と、それぞれの領域が対向しない状態である見開き状態とに切り替え可能な２つの領域を有する検出部と、前記検出部の前記２つの領域が前記折り畳み状態であるか、又は、前記見開き状態であるかを判断する第１判断手段と、前記第１判断手段によって前記折り畳み状態であると判断された場合、前記検出部の状態を、消費電流が相対的に大きい通常状態から、相対的に小さい省電力状態に切り替える切替手段とを備え、前記検出部は、前記通常状態において、前記２つの領域のうち一方を、前記複数のコイルに電流が通電された送信状態及び前記複数のコイルの誘導電流を検出可能な受信状態が交互に切り替わる送受信状態とし、同時に、前記２つの領域のうち他方を、前記複数のコイルの前記誘導電流を検出可能な受信状態が維持される連続受信状態とした第１状態と、前記一方を前記連続受信状態とし、前記他方を前記送受信状態とした第２状態とに交互に切り替え、前記第１判断手段は、前記連続受信状態である前記２つの領域の何れかの前記複数のコイルに前記誘導電流が検出されない場合、前記見開き状態と判断し、前記誘導電流が検出された場合、前記折り畳み状態であると判断することを特徴とする。
【０００７】
上記の情報入力装置において、検出部は、送信状態の複数のコイルから誘導磁界を発生させる。誘導磁界は、筆記具に内蔵されたコイルに誘導電流を生じさせる。筆記具は、コイルに生じた誘導電流に基づいて誘導磁界を発生させる。筆記具から発生した誘導磁界は、検出部の送受信状態の複数のコイルに誘導電流を生じさせる。検出部は、誘導電流が生じたコイルの位置に基づいて、筆記具の位置を特定できる。情報入力装置は、２つの領域のそれぞれを第１状態と第２状態に切り替えることによって、２つの領域の全てで筆記具の位置を検出する。
【０００８】
上記において、２つの領域が見開き状態の場合、連続受信状態の複数のコイルに誘導電流は生じない。このため、情報入力装置は、連続受信状態の複数のコイルにて誘導電流が検出されない場合、２つの領域が見開き状態であると判断する。一方、２つの領域が折り畳み状態の場合、連続受信状態の複数のコイルに、送受信状態の複数のコイルから発生した誘導磁界が作用し、連続受信状態のコイルに誘導電流が流れる。このため、情報入力装置は、連続受信状態の複数のコイルに誘導電流が検出された場合、２つの領域が折り畳み状態であると判断する。このように、情報入力装置は、筆記具の位置を検出するための検出部をそのまま用い、２つの領域が折り畳み状態であると判断できる。従って、情報入力装置は、折りたたみ状態であると判断した場合に省電力状態に切り替えることによって、２つの筐体が折り畳まれたときの消費電力を、簡易な構成で抑制できる。
【０００９】
本発明において、前記切替手段は、前記２つの領域のうち一方の前記複数のコイルのうち一部の複数のコイルのみに電流を通電させた第１省電力状態に切り替える第１切替手段を更に備えてもよい。なお、情報入力装置は、一部の複数のコイルのみに電流を通電させた場合も、２つの領域が折り畳み状態であると判断できる。従って、情報入力装置は、複数のコイルに通電することによる消費電力を抑制することによって、２つの領域が折り畳まれた状態の消費電力を適切に抑制できる。
【００１０】
本発明において、前記第１切替手段は、前記一部の複数のコイルのみに電流を間欠的に通電させた前記第１省電力状態に切り替えてもよい。この場合、情報入力装置は、一部の複数のコイルに通電することによる消費電力を更に抑制できる。従って、情報入力装置は、２つの領域が折り畳まれた状態の消費電力を更に適切に抑制できる。
【００１１】
本発明において、前記切替手段は、前記２つの領域のそれぞれの前記複数のコイルへの通電を停止させた第２省電力状態に切り替える第２切替手段を更に備えてもよい。この場合、情報入力装置は、複数のコイルに通電する電流量を最小限に抑制できる。従って、情報入力装置は、２つの領域が折り畳まれた状態の消費電力を大幅に抑制できる。
【００１２】
本発明において、前記切替手段は、前記第１判断手段によって前記折り畳み状態であると判断されてからの経過時間が所定時間よりも小さい場合、前記第１省電力状態を維持してもよい。この場合、情報入力装置は、２つの領域が一旦折り畳み状態とされてから、見開き状態に戻された場合、見開き状態を適切に検出できる。
【００１３】
本発明において、前記第２切替手段は、前記第１判断手段によって前記折り畳み状態であると判断されてからの経過時間が所定時間以上の場合、前記第２省電力状態に切り替えてもよい。この場合、情報入力装置は、折り畳み状態での経過時間が所定時間以上となった後、消費電力を大幅に抑制できる。
【００１４】
本発明において、前記検出部を前記第１状態と前記第２状態とに切り替える制御を行う制御部を備え、前記第２切替手段は、前記制御部に供給される電源をＯＦＦすることによって前記第２省電力状態に切り替えてもよい。この場合、情報入力装置は、制御部の消費電力も抑制できるので、２つの領域が折りたたまれた状態の消費電力を更に抑制できる。
【図面の簡単な説明】
【００１５】
【図１】手書入力システム１の概要を示す図である。
【図２】読取装置２の平面図である。
【図３】読取装置２の電気的構成を示すブロック図である。
【図４】通常状態における読取装置２を示す図である。
【図５】通常状態、第１省電力状態、及び、第２省電力状態における読取装置２を示す図である。
【図６】ＡＳＩＣメイン処理のフローチャートである。
【図７】ＣＰＵメイン処理のフローチャートである。
【発明を実施するための形態】
【００１６】
以下、本発明の実施形態について、図面を参照して説明する。図１、図２を参照して、本実施形態に係る手書入力システム１の概要を説明する。以下の説明では、図１の左上側、右下側、上側、下側、右上側、左下側を、それぞれ、読取装置２の左側、右側、前側、後側、上側、下側と定義して説明する。
【００１７】
図１に示すように、手書入力システム１は、読取装置２、電子ペン３、スマートフォン１９等を主に備える。読取装置２は、折り畳んで携行可能な、薄型軽量の手書き入力装置である。手書入力システム１では、ユーザは電子ペン３を用いて、読取装置２に装着された紙媒体１００の複数の用紙１１１のそれぞれに線画を筆記する。読取装置２は、筆記の過程における電子ペン３の複数の位置を取得する。
【００１８】
スマートフォン１９は、読取装置２で特定された複数の位置を取得する。スマートフォン１９は、取得した複数の位置に基づき、電子ペン３によって複数の用紙１１１のそれぞれに筆記された線画を特定する。スマートフォン１９は、特定された線画を少なくとも含む画像の画像ファイルを作成する。
【００１９】
スマートフォン１９のユーザは、作成された複数の画像ファイルのうち何れかを選択する操作を、タッチパネル１９１を介して入力する。スマートフォン１９は、選択された画像ファイルに対応する画像を、ディスプレイ１９２に表示させる。ユーザは、電子ペン３によって複数の用紙１１１のそれぞれに筆記された線画と同一形状の線画を含む画像を、ディスプレイ１９２を介して視認できる。
【００２０】
図２に示すように、読取装置２は、左右一対の左読取装置２Ｌ、右読取装置２Ｒ、フラットケーブル６，及びカバー４を構成の主体とする。左読取装置２Ｌ及び右読取装置２Ｒは、矩形薄板状である。左読取装置２Ｌ及び右読取装置２Ｒは、カバー４の前面に左右方向に見開き可能に配置されている。左読取装置２Ｌ及び右読取装置２Ｒは、フラットケーブル６によって電気的に接続されている。左読取装置２Ｌ及び右読取装置２Ｒは、フラットケーブル６が曲折したり伸長したりすることによって、それぞれが対向する状態である折り畳まれた状態と、それぞれが対向しない状態である見開いた状態との間で変形可能である。左読取装置２Ｌ及び右読取装置２Ｒは、使用時に見開いた状態とされ、未使用時に折り畳まれた状態とされる。左読取装置２Ｌ及び右読取装置２Ｒは、見開いた状態で左右方向に並んで配置される。右読取装置２Ｒは、３つのＬＥＤ５を上端に備える。ＬＥＤ５は、読取装置２の状態をユーザに通知可能である。カバー４は、袋状の袋部４Ａを左側に備える。左読取装置２Ｌは、袋部４Ａ内に差し込まれることでカバー４に着脱可能に装着される。右読取装置２Ｒは、樹脂フィルム等によってカバー４の右前面に貼り付けられる。
【００２１】
図１に示すように、左読取装置２Ｌ及び右読取装置２Ｒが見開かれた状態の読取装置２の前面には、紙媒体１００が着脱可能に装着される。紙媒体１００は、見開き可能な冊子状である。紙媒体１００では、一対の表紙（表表紙１１０Ｌ及び裏表紙１１０Ｒ）と複数の用紙１１１とを備える。表表紙１１０Ｌ、裏表紙１１０Ｒ、及び、複数の用紙１１１のそれぞれは矩形状である。表表紙１１０Ｌ、裏表紙１１０Ｒ、及び、複数の用紙１１１は、それぞれの長手方向に延びる一辺で綴じられている。複数の用紙１１１の綴じられた部分は、上下方向に延びる。一例として、紙媒体１００はＡ５サイズのノートである。
【００２２】
紙媒体１００は、表表紙１１０Ｌが左読取装置２Ｌの前面である検出領域２０１Ｌ（図２参照）に載置され、且つ、裏表紙１１０Ｒが右読取装置２Ｒの前面である検出領域２０１Ｒ（図２参照）に載置されるように、左読取装置２Ｌ及び右読取装置２Ｒが見開かれた状態の読取装置２に装着される。紙媒体１００は、粘着テープ等によって、紙媒体１００が読取装置２に位置決めされた状態で装着される。ユーザは、電子ペン３を用いて紙媒体１００の複数の用紙１１１のそれぞれに線画を筆記できる。
【００２３】
電子ペン３は、公知の電磁誘導式の電子ペンであり、筒体３０、芯体３１、コイル３２、可変容量コンデンサ３３、基板３４、コンデンサ３５、及びインク収納部３６を主に備える。筒体３０は、円柱状の形状を有し、芯体３１の一部、コイル３２、可変容量コンデンサ３３、基板３４、コンデンサ３５、及びインク収納部３６を内部に収容する。芯体３１は、電子ペン３の先端部に設けられている。芯体３１は図示外の弾性部材によって、電子ペン３の先端側に付勢されている。芯体３１の先端部は、筒体３０の外部に突出している。芯体３１の後端側は、インクが収納されているインク収納部３６に接続されている。インク収納部３６は、芯体３１にインクを供給する。ユーザが電子ペン３を用いて複数の用紙１１１のそれぞれに筆記すると、複数の用紙１１１のそれぞれに、インクによって線画が形成される。
【００２４】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３はコイル３２に並列に接続され、周知の共振（同調）回路を構成する。
【００２５】
スマートフォン１９は、タッチパネル１９１及びディスプレイ１９２を備える。タッチパネル１９１は、各種指示を入力するために使用される。ディスプレイ１９２は、画像ファイルに対応する画像を表示可能である。なお、スマートフォン１９の代わりに汎用ＰＣやタブレットＰＣが用いられてもよい。
【００２６】
図３を参照して、読取装置２の電気的構成と、読取装置２が座標データを検出する原理の概要とを説明する。読取装置２は、センサ基板７Ｌ，７Ｒ、メイン基板２０、センサ制御基板２８，２９、入力部２５、３つのＬＥＤ５、トランジスタ４０、レギュレータ４１、及び、電池４２を備える。センサ基板７Ｌは、左読取装置２Ｌ内、且つ、検出領域２０１Ｌ（図２参照）に対応する位置に設けられる。センサ基板７Ｒは、右読取装置２Ｒ内、かつ、検出領域２０１Ｒ（図２参照）に対応する位置に設けられる。左読取装置２Ｌ及び右読取装置２Ｒが見開かれた状態で、センサ基板７Ｌ、７Ｒも見開かれた状態になる。左読取装置２Ｌ及び右読取装置２Ｒが折り畳まれた状態で、センサ基板７Ｌ、７Ｒも折り畳まれた状態になる。以下、センサ基板７Ｌ、７Ｒが折り畳まれた状態を、「折り畳み状態」といい、センサ基板７Ｌ、７Ｒが見開かれた状態を、「見開き状態」という。入力部２５及び３つのＬＥＤ５は、右読取装置２Ｒに設けられる。３つのＬＥＤ５のそれぞれの色は、黄色、緑色、及び赤色である。
【００２７】
メイン基板２０は、ＣＰＵ２１、ＲＡＭ２２、フラッシュＲＯＭ２３、及び無線通信部２４を備える。ＲＡＭ２２、フラッシュＲＯＭ２３、及び無線通信部２４は、ＣＰＵ２１に電気的に接続されている。ＣＰＵ２１は、読取装置２の制御を行う。ＲＡＭ２２は、演算データ等の各種データを一時的に記憶する。
【００２８】
フラッシュＲＯＭ２３には、ストロークデータが記憶される。又、フラッシュＲＯＭ２３には、ＣＰＵ２１が読取装置２を制御するために実行するプログラムが記憶される。読取装置２は、後述する無線通信部２４を介して通信可能な外部機器（図示外）又はネットワークからプログラムを受信して、フラッシュＲＯＭ２３にインストールできる。なお、読取装置２は、図示外の媒体読取装置（例えば、メモリカードスロット）を備えてもよい。読取装置２は、記憶媒体（例えば、メモリカード）に記憶されているプログラムを、媒体読取装置で読み取ってフラッシュＲＯＭ２３にインストールしてもよい。
【００２９】
無線通信部２４は、外部の電子機器と近距離無線通信を実行するためのコントローラである。近距離無線通信の規格の具体例として、Bluetooth（登録商標）が挙げられる。入力部２５及び３つのＬＥＤ５は、ＣＰＵ２１に電気的に接続されている。入力部２５は、読取装置２に対する指示を入力するためのスイッチである。
【００３０】
センサ基板７Ｌ、７Ｒには、上下方向及び左右方向のそれぞれに細長いループコイルが複数配列されている。センサ基板７Ｌは、センサ制御基板２８のＡＳＩＣ２８Ａに電気的に接続されている。ＡＳＩＣ２８Ａは、センサ基板７Ｌの複数のループコイルに対する電流の通電を制御する。センサ基板７Ｒは、センサ制御基板２９のＡＳＩＣ２９Ａに電気的に接続されている。ＡＳＩＣ２９Ａは、センサ基板７Ｒの複数のループコイルに対する電流の通電を制御する。ＡＳＩＣ２８Ａ，２９Ａのうち、マスター側のＡＳＩＣ２８ＡはＣＰＵ２１に直接接続される。スレーブ側のＡＳＩＣ２９Ａは、ＡＳＩＣ２８Ａに接続される。ＡＳＩＣ２８Ａ、２９Ａには、プログラムが記憶されたＲＯＭ（図示外）を内蔵する。
【００３１】
電池４２は、メイン基板２０、及び、センサ制御基板２８、２９を駆動するための電源電源である。レギュレータ４１は、電池４２の電圧を安定化させる。レギュレータ４１によって安定化された電池４２の電源は、メイン基板２０に直接供給される。又、レギュレータ４１によって安定化された電池４２の電源は、トランジスタ４０を介して、センサ制御基板２８、２９に供給される。トランジスタ４０は、センサ制御基板２８、２９に対する電源の供給のＯＮ／ＯＦＦを制御可能である。ＣＰＵ２１は、トランジスタ４０のベースに接続し、センサ制御基板２８、２９に対する電源の供給のＯＮ／ＯＦＦを切り替えることができる。
【００３２】
センサ基板７Ｌを含む左読取装置２Ｌ、及び、センサ基板７Ｒを含む右読取装置２Ｒ上で電子ペン３による筆記動作が行われた場合に、電子ペン３の位置が検出される動作の原理を、概略的に説明する。読取装置２は、センサ基板７Ｌ、７Ｒを見開き状態として使用される。ＡＳＩＣ２８Ａ，２９Ａは、センサ基板７Ｌ、７Ｒのそれぞれの複数のループコイルに、一本ずつ特定の周波数の電流を通電させる。これにより、電流が通電されたループコイルから磁界が発生する。
【００３３】
なお、センサ基板７Ｌ、７Ｒのそれぞれの複数のループコイルは、特定の大きさの領域毎に複数に区分される。以下、区分されたそれぞれの領域に含まれる複数のコイルを、「区分コイル」という。電流の通電は、区分コイルに含まれる複数のループコイルに対して同時に、且つ、区分コイル毎に行われる。例えば、ＡＳＩＣ２８Ａは、センサ基板７Ｌの複数のループコイルに対し、区分コイル毎に電流を通電させる。ＡＳＩＣ２９Ａは、センサ基板７Ｒの複数のループコイルに対し、区分コイル毎に電流を通電させる。ＡＳＩＣ２８Ａ，２９Ａは、区分コイルに含まれる複数のループコイルに対して電流を同時に通電した後、通電を停止させる。ＡＳＩＣ２８Ａ，２９Ａは、複数の区分コイルから１つずつ順番に選択し、選択した区分コイルに対する電流の通電及び停止を繰り返す。これによって、電流が通電された区分コイルに含まれる複数のループコイルから、磁界が発生する。
【００３４】
特定の区分コイルに含まれる複数のループコイルに電流が通電された状態で、ユーザが電子ペン３を用いて、左読取装置２Ｌ上の用紙１１１に線画を筆記する動作を行った場合を例に挙げる。筆記の動作に応じ、電子ペン３はセンサ基板７Ｌに近接する。そのため、電子ペン３の共振回路は電磁誘導によって共振し、誘導磁界を生じる。センサ基板７Ｌの複数のループコイルは、電子ペン３の共振回路から誘導磁界が発せられている場合、誘導磁界を受信する。
【００３５】
ＡＳＩＣ２８Ａは、センサ基板７Ｌの特定の区分コイルに含まれる複数のループコイルに対する電流の通電を停止させた後、センサ基板７Ｌの複数のループコイルに流れる誘導電流を検出する。検出された誘導電流は、ＡＳＩＣ２８Ａによって増幅、振幅検波された後、検出結果として随時ＣＰＵ２１に出力される。ＣＰＵ２１は、ＡＳＩＣ２８Ａから出力された検出結果に基づいて、左読取装置２Ｌ上の電子ペン３の位置を検出する。
【００３６】
又、電子ペン３を用い、センサ基板７Ｌを含む左読取装置２Ｌ上の用紙１１１に対して線画を筆記する動作が行われている状態では、芯体３１に筆圧が付与される。コイル３２のインダクタンスは、芯体３１に付与される筆圧に応じて変化する。これにより、芯体３１に付与される筆圧に応じて、電子ペン３の共振回路の共振周波数が変化する。ＣＰＵ２１は、共振周波数の変化（位相変化）を検出し、電子ペン３が紙媒体１００の複数の用紙１１１のそれぞれに接触しているか否かを判断する。つまりＣＰＵ２１は、紙媒体１００の複数の用紙１１１のそれぞれに線画が筆記されている状態であるか否かを判断できる。
【００３７】
なお、ユーザが電子ペン３を用いて、右読取装置２Ｒ上の用紙１１１に線画を筆記する動作を行った場合、上記と同じ処理が、ＡＳＩＣ２９Ａ及びセンサ基板７Ｒによって実行される。これによって、ＣＰＵ２１は、右読取装置２Ｒ上の電子ペン３の位置を検出する。
【００３８】
センサ基板７Ｌ、７Ｒとで、複数のループコイルに対する電流の通電を切り替えるタイミングについて、図４を参照して説明する。初めにＡＳＩＣ２８Ａは、センサ基板７Ｌの複数の区分コイルを順番に１つずつ選択する。ＡＳＩＣ２８Ａは、選択した区分コイルに含まれる複数のループコイルに電流を通電させ、その後、通電を停止させる。ＡＳＩＣ２８Ａは、センサ基板７Ｌの複数のループコイルの何れかかによって誘導電流が検出されたか判定する。以上の処理は、センサ基板７Ｌの複数の区分コイルが全て選択されるまで繰り返し実行される（ａ）。以下、センサ基板７Ｌ、７Ｒにおいて、複数のループコイルに対して区分コイル毎に電流が通電された状態を、「送信状態」という。センサ基板７Ｌ、７Ｒにおいて、複数のループコイルに対する電流の通電が停止され、誘導電流を検出可能な状態を、「受信状態」という。センサ基板７Ｌ、７Ｒにおいて、送信状態と受信状態とが交互に切り替わる状態を、「送受信状態」という。
【００３９】
図４（ａ）は、センサ基板７Ｌが送受信状態であることを示している。センサ基板７Ｌは、送信状態において区分コイルに含まれる複数のループコイルから発生した磁界に応じて電子ペン３から誘導磁界が発せられた場合、受信状態において複数のループコイルの何れかに発生した誘導電流を検出する。ＣＰＵ２１は、ＡＳＩＣ２８Ａから出力された検出結果に基づいて、左読取装置２Ｌ上の電子ペン３の位置を検出する。
【００４０】
一方、ＡＳＩＣ２９Ａは、ＡＳＩＣ２８Ａがセンサ基板７Ｌを送受信状態に制御しているとき、複数のループコイルに対する電流の通電を停止させ、誘導電流を検出可能な状態を維持させる。以下、センサ基板７Ｌ、７Ｒにおいて、複数のループコイルに対する電流の通電が停止され、誘導電流を検出可能な状態が維持された状態を、「連続受信状態」という。図４（ａ）は、センサ基板７Ｒが連続受信状態であることを示している。
【００４１】
なお、図４（ａ）の状態で、連続受信状態のセンサ基板７Ｒを含む右読取装置２Ｒ上の用紙１１１に対して、電子ペン３による筆記動作が行われた場合、センサ基板７Ｒの複数のループコイルから磁界は発生しないので、近接した電子ペン３からも誘導磁界は発せられない。このため、センサ基板７Ｒの複数のループコイルに誘導電流は流れないので、ＣＰＵ２１は、電子ペン３の位置を検出することはできない。
【００４２】
これに対し、ＡＳＩＣ２８Ａは、ＡＳＩＣ２９Ａを制御し、センサ基板７Ｌが送受信状態で且つセンサ基板７Ｒが連続受信状態である状態（ａ）と、センサ基板７Ｌが連続受信状態で且つセンサ基板７Ｒが送受信状態である状態（ｂ）とを交互に切り替える。これによって、センサ基板７Ｌ、７Ｒの両方を、電子ペン３の位置を検出可能な送受信状態とする。これによって、左読取装置２Ｌ、及び、右読取装置２Ｒの何れの上の用紙１１１に対して電子ペン３で筆記する動作が行われた場合も、ＣＰＵ２１は、電子ペン３の位置を検出し、線画が筆記されている状態であることを判断できる。以下、センサ基板７Ｌが送受信状態で且つセンサ基板７Ｒが連続受信状態である状態（ａ）と、センサ基板７Ｌが連続受信状態で且つセンサ基板７Ｒが送受信状態である状態（ｂ）とが交互に切り替わる状態を、「通常状態」という。
【００４３】
図５を参照し、センサ基板７Ｌ、７Ｒが見開き状態（ｃ）と折り畳み状態（ｄ）〜（ｆ）の間で変化した場合の動作について説明する。見開き状態（ｃ）の場合、連続受信状態のセンサ基板７Ｌにおいて複数のループコイルから磁界は発生せず、電子ペン３からも誘導磁界が発せられないので、複数のループコイルに誘導電流は流れない。これに対し、（ｄ）のように、センサ基板７Ｌ，７Ｒが折り畳み状態となり、連続受信状態のセンサ基板７Ｌが、送受信状態のセンサ基板７Ｒに重ねられると、センサ基板７Ｌの複数のループコイルには、センサ基板７Ｒの複数のループコイルに電流が通電されることに応じて発生する磁界が作用し、誘導電流が流れる。ＡＳＩＣ２８Ａは、連続受信状態のセンサ基板７Ｌの複数のループコイルに誘導電流が流れていることを検出した場合、センサ基板７Ｌ、７Ｒが折り畳み状態であると判断する。
【００４４】
なお、（ｄ）の場合と異なり、送受信状態のセンサ基板７Ｌが、連続受信状態のセンサ基板７Ｒに重ねられた場合、センサ基板７Ｒの複数のループコイルには、センサ基板７Ｌの複数のループコイルに電流が通電されることに応じて発生する磁界が作用し、誘導電流が流れる。ＡＳＩＣ２９Ａは、連続受信状態のセンサ基板７Ｒの複数のループコイルに誘導電流が流れていることを検出した場合、ＡＳＩＣ２８Ａに対して通知信号を出力する。以下、連続受信状態のセンサ基板７Ｒの複数のループコイルに誘導電流が流れていることが検出されたことに応じて、ＡＳＩＣ２９ＡからＡＳＩＣ２８Ａに対して出力される通知信号を、「電流検出信号」という。ＡＳＩＣ２８Ａは、ＡＳＩＣ２９Ａから出力された電流検出信号を検出した場合、センサ基板７Ｌ、７Ｒが折り畳み状態であると判断する。
【００４５】
ＡＳＩＣ２８Ａは、センサ基板７Ｌ、７Ｒが折り畳み状態であると判断した場合、センサ基板７Ｌの複数の区分コイルのうち、見開き状態においてセンサ基板７Ｒから離隔する側に配置された区分コイル５１のみに対して、電流を通電させる。以下、センサ基板７Ｌにおいて、区分コイル５１にのみ電流が通電された状態を、「連続送信状態」という。
【００４６】
なお、区分コイル５１に対して電流が通電されるタイミングは、センサ基板７Ｌが送受信状態のときに区分コイル５１に対して電流が通電されるタイミングと同一である。つまり、センサ基板７Ｌでは、送受信状態において区分コイル５１以外の複数の区分コイルに対して電流の通電が行われる期間、連続送信状態では電流が通電されない。そして、センサ基板７Ｌでは、送受信状態において区分コイル５１に電流が通電されるタイミングでのみ、連続送信状態において電流が通電される。即ち、連続送信状態では、区分コイル５１に電流が間欠的に通電され、間欠的に磁界が発生することになる。従って、センサ基板７Ｌの消費電力は、送受信状態よりも連続送信状態の方が、区分コイル５１以外の区分コイルに対して通電される電流分少なくなる。
【００４７】
又、ＡＳＩＣ２８Ａは、センサ基板７Ｌを連続送信状態で動作させた状態で、ＡＳＩＣ２９Ａに対して制御信号を出力する。以下、センサ基板７Ｌを連続送信状態で動作させた状態でＡＳＩＣ２８ＡからＡＳＩＣ２９Ａに対して出力される制御信号を、「第１制御信号」という。ＡＳＩＣ２９Ａは、ＡＳＩＣ２８Ａから出力された第１制御信号を検出した場合、センサ基板７Ｒを連続受信状態とする。
【００４８】
センサ基板７Ｌ、７Ｒが折り畳み状態で維持されている場合、センサ基板７Ｒの複数のループコイルには、センサ基板７Ｌの区分コイル５１に電流が通電されることに応じて間欠的に発生する磁界が作用し、誘導電流が流れる。ＡＳＩＣ２９Ａは、連続受信状態のセンサ基板７Ｒの複数のループコイルに誘導電流が流れていることを検出した場合、ＡＳＩＣ２８Ａに対して電流検出信号を出力する。ＡＳＩＣ２８Ａは、ＡＳＩＣ２９Ａから電流検出信号を検出した場合、センサ基板７Ｌを連続送信状態で継続して動作させる。以下、センサ基板７Ｌが連続送信状態で動作し、且つ、センサ基板７Ｒが連続受信状態で動作する状態を、「第１省電力状態」という。
【００４９】
なお、センサ基板７Ｌ、７Ｒが折り畳み状態（ｅ）から見開き状態（ｃ）に変化した場合、連続送信状態のセンサ基板７Ｌの区分コイル５１にて発生する磁界が、連続受信状態のセンサ基板７Ｒの複数のループコイルに作用しなくなる。このため、センサ基板７Ｒの複数のループコイルに誘導電流が流れなくなる。ＡＳＩＣ２９Ａは、センサ基板７Ｒの複数のループコイルに誘導電流が流れなくなったことを検出した場合、ＡＳＩＣ２８Ａに対する電流検出信号の出力を停止させる。ＡＳＩＣ２８Ａは、電流検出信号が検出されなくなった場合、センサ基板７Ｌ、７Ｒが見開き状態であると判断する。この場合、ＡＳＩＣ２８Ａは、センサ基板７Ｌ、７Ｒの状態を、第１省電力状態から通常状態に戻す。具体的には、ＡＳＩＣ２８Ａは、ＡＳＩＣ２９Ａを制御し、センサ基板７Ｌが送受信状態で且つセンサ基板７Ｒが連続受信状態である状態（ａ）（図４参照）と、センサ基板７Ｌが連続受信状態で且つセンサ基板７Ｒが送受信状態である状態（ｂ）（図４参照）（ｃ）（図５参照）とを交互に切り替える。
【００５０】
ＣＰＵ２１は、ＡＳＩＣ２８Ａがセンサ基板７Ｌ、７Ｒを第１省電力状態で動作させている状態が所定時間以上経過したと判断した場合、トランジスタ４０を制御し、電池４２からレギュレータ４１を介してセンサ制御基板２８、２９に供給される電源をＯＦＦさせる（ｆ）。この場合、ＡＳＩＣ２８Ａ、２９Ａに電源が供給されなくなり、センサ基板７Ｌ、７Ｒのそれぞれの複数のループコイルに対する電流の通電は全て停止される。センサ基板７Ｌの消費電力は、連続送信状態において区分コイル５１に通電される電流分、連続送信状態よりも更に少なくなる。更に、ＡＳＩＣ２８Ａ、２９Ａによって消費される電力分も抑制される。以下、センサ基板７Ｌ、７Ｒのそれぞれの複数のループコイルに対する電流の通電が全て停止した状態を、「第２省電力状態」という。
【００５１】
図６を参照し、ＡＳＩＣ２８Ａによって実行されるＡＳＩＣメイン処理について説明する。ＡＳＩＣメイン処理は、ＡＳＩＣ２８Ａに対する電源の供給が開始された場合、ＡＳＩＣ２８Ａに内蔵されたＲＯＭ（図示略）に記憶されたプログラムをＡＳＩ２８Ａが実行することによって、開始される。なお、ＡＳＩＣ２８Ａに対する電源の供給は、ＣＰＵ２１がＳ４１（図７参照）の処理を実行することによってＯＮされ、Ｓ５１（図７参照）の処理を実行することによってＯＦＦされる。つまり、ＡＳＩＣ２８ＡによるＡＳＩＣメイン処理の実行時期は、ＣＰＵ２１によって制御される。詳細は後述する。
【００５２】
ＡＳＩＣ２８Ａは、センサ基板７Ｌを送受信状態とする（Ｓ１１）。ＡＳＩＣ２８Ａは、センサ基板７Ｒを連続受信状態とするために、ＡＳＩＣ２９Ａに対して第１制御信号を出力する（Ｓ１１）。ＡＳＩＣ２９Ａは、第１制御信号を検出した場合、センサ基板７Ｒを連続受信状態とする（図４（ａ）参照）。
【００５３】
ＡＳＩＣ２８Ａは、連続受信状態のセンサ基板７Ｒの複数のループコイルに誘導電流が流れているか否かを、ＡＳＩＣ２９Ａから出力される電流検出信号を検出したかによって判断する。ＡＳＩＣ２８Ａは、電流検出信号を検出した場合、センサ基板７Ｒの複数のループコイルに誘導電流が流れていると判断する（Ｓ１３：ＹＥＳ）。この場合、ＡＳＩＣ２８Ａは処理をＳ１９に進める。
【００５４】
一方、ＡＳＩＣ２８Ａは、電流検出信号を検出しない場合、センサ基板７Ｒの複数のループコイルに誘導電流が流れていないと判断する（Ｓ１３：ＮＯ）。この場合、ＡＳＩＣ２８Ａは、センサ基板７Ｌを連続受信状態とする（Ｓ１５）。ＡＳＩＣ２８Ａは、センサ基板７Ｒを送受信状態とするために、ＡＳＩＣ２９Ａに対して制御信号を出力する（Ｓ１５）。以下、ＡＳＩＣ２８ＡからＡＳＩＣ２９Ａに対して送信される、センサ基板７Ｒを送受信状態とするための制御信号を、「第２制御信号」という。ＡＳＩＣ２９Ａは、第２制御信号を検出した場合、センサ基板７Ｒを送受信状態とする（図４（ｂ）、図５（ｃ）（ｄ）参照）。
【００５５】
ＡＳＩＣ２８Ａは、連続受信状態のセンサ基板７Ｌの複数のループコイルに誘導電流が流れているか否かを判断する。ＡＳＩＣ２８Ａは、センサ基板７Ｌの複数のループコイルに誘導電流が流れていると判断した場合（Ｓ１７：ＹＥＳ）、処理をＳ１９に進める。一方、ＡＳＩＣ２８Ａは、センサ基板７Ｌの複数のループコイルに誘導電流が流れていないと判断した場合（Ｓ１７：ＮＯ）、処理をＳ１１に戻す。なお、Ｓ１１、Ｓ１５の処理が実行された場合の、センサ基板７Ｌ、７Ｒの状態が、通常状態に対応する（図４（ａ）（ｂ）、図５（ｃ）（ｄ）参照）。
【００５６】
ＡＳＩＣ２８Ａは、連続受信状態のセンサ基板７Ｌ、７Ｒに誘導電流が流れていると判断した場合（Ｓ１３：ＹＥＳ、Ｓ１７：ＹＥＳ）、センサ基板７Ｌ、７Ｒが折り畳み状態であることを通知するための信号を、ＣＰＵ２１に出力する（Ｓ１９）。以下、センサ基板７Ｌ、７Ｒが折り畳み状態であることを通知するための信号を、「折り畳み通知信号」という。
【００５７】
ＡＳＩＣ２８Ａは、センサ基板７Ｌを連続送信状態とする（Ｓ２１）。ＡＳＩＣ２８Ａは、センサ基板７Ｒを連続受信状態とするために、ＡＳＩＣ２９Ａに対して第１制御信号を出力する（Ｓ２１）。ＡＳＩＣ２９Ａは、第１制御信号を検出した場合、センサ基板７Ｒを連続受信状態とする（図５（ｅ）参照）。なお、Ｓ２１の処理が実行された場合の、センサ基板７Ｌ、７Ｒが、第１省電力状態に対応する。
【００５８】
ＡＳＩＣ２８Ａは、連続受信状態のセンサ基板７Ｒの複数のループコイルに誘導電流が流れているか否かを、ＡＳＩＣ２９Ａから出力される電流検出信号を検出したかによって判断する。ＡＳＩＣ２８Ａは、電流検出信号を検出した場合、センサ基板７Ｒの複数のループコイルに誘導電流が流れていると判断する（Ｓ２３：ＹＥＳ）。この場合、ＡＳＩＣ２８Ａは処理をＳ２１に戻す。一方、ＡＳＩＣ２８Ａは、電流検出信号を検出しない場合、センサ基板７Ｒの複数のループコイルに誘導電流が流れていないと判断する（Ｓ２３：ＮＯ）。この場合、ＡＳＩＣ２８Ａは、センサ基板７Ｌ、７Ｒが見開き状態であることを通知するための信号を、ＣＰＵ２１に出力する（Ｓ２５）。以下、センサ基板７Ｌ、７Ｒが見開き状態であることを通知するための信号を、「見開き通知信号」という。ＡＳＩＣ２８Ａは処理をＳ１１に戻す。
【００５９】
なお、ＡＳＩＣ２８Ａは、上記のＡＳＩＣメイン処理と並行して、電子ペン３の位置を検出するための処理（図示略）を実行する。この処理では、センサ基板７Ｌ、７Ｒが通常状態で動作する場合において、送受信状態のセンサ基板７Ｌ、７Ｒの複数のループコイルに流れる誘導電流が検出された場合、検出結果をＣＰＵ２１に出力する。
【００６０】
図７を参照し、ＣＰＵ２１によって実行されるＣＰＵメイン処理について説明する。ＣＰＵメイン処理は、ＣＰＵ２１に対する電源の供給が開始された場合、フラッシュＲＯＭ２３に記憶されたプログラムをＣＰＵ２１が実行することによって、開始される。ＣＰＵ２１は、トランジスタ４０に出力する信号の電圧を制御し、センサ制御基板２８、２９に対する電源の供給をＯＮさせる。これによって、ＡＳＩＣ２８Ａ、２９Ａに電源が供給される（Ｓ４１）。ＡＳＩＣ２８ＡはＡＳＩＣメイン処理（図６参照）を開始させる。読取装置２は通常状態で動作を開始する。
【００６１】
ＣＰＵ２１は、ＡＳＩＣ２８Ａから出力される折り畳み通知信号を検出したか判断する（Ｓ４３）。ＣＰＵ２１は、折り畳み通知信号を検出しないと判断した場合（Ｓ４３：ＮＯ）、処理をＳ４３に戻す。ＣＰＵ２１は、折り畳み通知信号を検出したと判断した場合（Ｓ４３：ＹＥＳ）、見開き通知信号を受信したか判断する（Ｓ４５）。ＣＰＵ２１は、見開き通知信号を検出したと判断した場合（Ｓ４５：ＹＥＳ）、処理をＳ４３に戻す。
【００６２】
ＣＰＵ２１は、見開き通知信号を検出しないと判断した場合（Ｓ４５：ＮＯ）、Ｓ４３の処理によって折り畳み通知信号を検出してから所定時間が経過したか判断する（Ｓ４９）。ＣＰＵ２１は、所定時間が経過していないと判断した場合（Ｓ４９：ＮＯ）、処理をＳ４５に戻す。
【００６３】
ＣＰＵ２１は、Ｓ４３の処理によって折り畳み通知信号を検出してから、見開き通知信号を検出しない状態（Ｓ４５：ＮＯ）で所定時間が経過したと判断した場合（Ｓ４９：ＹＥＳ）、トランジスタ４０に出力する信号の電圧を制御し、センサ制御基板２８、２９に対する電源の供給をＯＦＦさせる。これによって、ＡＳＩＣ２８Ａ、２９Ａに対する電源の供給がＯＦＦされる（Ｓ５１）。ＡＳＩＣ２８ＡはＡＳＩＣメイン処理（図６参照）を停止させる。又、センサ基板７Ｌ、７Ｒの複数のループコイルに対する電流の通電は停止される。なお、Ｓ５１の処理が実行された場合の、センサ基板７Ｌ，７Ｒの状態が、第２省電力状態に対応する（図５（ｆ）参照）。
【００６４】
ＣＰＵ２１は、読取装置２の電源をＯＮさせる操作を、入力部２５を介して検出したか判断する（Ｓ５３）。ＣＰＵ２１は、電源をＯＮさせる操作を検出しないと判断した場合（Ｓ５３：ＮＯ）、処理をＳ５３に戻す。ＣＰＵ２１は、電源をＯＮさせる操作を検出したと判断した場合（Ｓ５３：ＹＥＳ）、処理をＳ４１に戻す。ＣＰＵ２１は、トランジスタ４０に出力する信号の電圧を制御し、センサ制御基板２８、２９に対する電源の供給をＯＮさせる（Ｓ４１）。なお、ＣＰＵ２１がＳ４１の処理を実行することによって、センサ基板７Ｌ，７Ｒは通常状態で動作を再開する。ＣＰＵ２１は処理を繰り返す。
【００６５】
なお、ＣＰＵ２１は、上記のＣＰＵメイン処理と平行して、電子ペン３の位置を検出するための処理（図示略）を実行する。この処理では、ＡＳＩＣ２８Ａから出力される検出結果に基づいて、電子ペン３を検出したループコイルの位置が特定され、電子ペン３の位置が検出される。又、電子ペン３が用紙１１１に接触しているか否かが、共振周波数の変化に基づいて判断される。これによって、用紙１１１に線画が筆記されている状態であるか否かが判断される。線画が筆記されていると判断された場合、電子ペン３の位置を示す座標データを、フラッシュＲＯＭ２３に記憶する。
【００６６】
以上説明したように、読取装置２は、送信状態のセンサ基板７Ｌ、７Ｒの複数のループコイルから、誘導磁界を発生させる。誘導磁界は、電子ペン３に内蔵されたコイル３２に誘導電流を生じさせる。電子ペン３は、コイル３２に生じた誘導電流に基づいて誘導磁界を発生させる。電子ペン３から発生した誘導磁界は、受信状態のセンサ基板７Ｌ、７Ｒの複数のループコイルに誘導電流を生じさせる。ＣＰＵ２１は、センサ基板７Ｌ、７Ｒの複数のループコイルのうち、誘導電流が生じたループコイルの位置に基づいて、電子ペン３の位置を特定する。ＡＳＩＣ２８Ａは、センサ基板７Ｌを送受信状態とし且つセンサ基板７Ｒを連続受信状態とした状態と、センサ基板７Ｌを連続受信状態とし且つセンサ基板７Ｒを送受信状態とした状態とに交互に切り替えることによって、左読取装置２Ｌ及び右読取装置２Ｒの全てで、電子ペン３の位置を検出する。
【００６７】
センサ基板７Ｌ、７Ｒが見開き状態の場合、連続受信状態の複数のコイルに誘導電流は流れない。このため、ＡＳＩＣ２８Ａは、連続受信状態の複数のコイルに誘導電流が流れない場合（Ｓ１３：ＮＯ、Ｓ１７：ＮＯ）、センサ基板７Ｌ、７Ｒが見開き状態であると判断する。一方、センサ基板７Ｌ、７Ｒが折り畳み状態の場合、連続受信状態の複数のコイルに、送受信状態の複数のコイルから発生した誘導磁界が作用し、連続受信状態のコイルに誘導電流が流れる。このため、ＡＳＩＣ２８Ａは、連続受信状態の複数のコイルに誘導電流が検出された場合（Ｓ１３：ＹＥＳ、Ｓ１７：ＹＥＳ）、センサ基板７Ｌ、７Ｒが折り畳み状態であると判断する。
【００６８】
以上のように、ＡＳＩＣ２８Ａは、電子ペン３の位置を検出するために使用されるセンサ基板７Ｌ、７Ｒをそのまま用いることによって、センサ基板７Ｌ、７Ｒが見開き状態か、又は、折り畳み状態かを特定できる。従って、ＡＳＩＣ２８Ａは、センサ基板７Ｌ、７Ｒが折り畳み状態の場合に、第１省電力状態に切り替える。これによって、センサ基板７Ｌ、７Ｒが折り畳まれたときの消費電力を、簡易な構成で抑制できる。
【００６９】
ＡＳＩＣ２８Ａは、センサ基板７Ｌ、７Ｒを第１省電力状態で動作させる場合、センサ基板７Ｌを連続送信状態で動作させる。連続送信状態では、センサ基板７Ｌの複数のループコイルのうち、区分コイル５１にのみ電流が間欠的に通電される（Ｓ２１）。これによって、ＡＳＩＣ２８Ａは、センサ基板７Ｌを送受信状態で動作させる場合と比べて、センサ基板７Ｌの消費電力を抑制できる。なお、ＡＳＩＣ２８Ａは、センサ基板７Ｌの区分コイル５１にのみ電流を通電させた場合でも、センサ基板７Ｒの複数のループコイルに誘導電流が流れるかを判断することによって、センサ基板７Ｌ、７Ｒが折り畳み状態であるかを特定できる。このように、ＡＳＩＣ２８Ａは、センサ基板７Ｌ、７Ｒが折り畳み状態であることを継続して監視しつつ、センサ基板７Ｌの消費電力を適切に抑制できる。
【００７０】
センサ基板７Ｌ、７Ｒが折り畳み状態となってからの経過時間が所定時間以上の場合、センサ基板７Ｌ、７Ｒが折り畳み状態から見開き状態に切り替えられる可能性は低くなる。このため、ＣＰＵ２１は、ＡＳＩＣ２８Ａから出力された折り畳み通知信号を検出してからの経過時間が所定時間となった場合、センサ制御基板２８、２９に対する電池４２からの電源の供給をＯＦＦする（Ｓ５１）。この場合、センサ基板７Ｌ、７Ｒのそれぞれの複数のループコイルに対する電流の通電も停止されるので、ＣＰＵ２１は、読取装置２が折り畳み状態である場合の消費電力を大幅に抑制できる。
【００７１】
なお、折り畳み状態での経過時間が所定時間よりも小さい場合、及びセンサ基板７Ｌ、７Ｒが折り畳み状態から見開き状態に戻される可能性が高い。このため、ＣＰＵ２１は、及びセンサ基板７Ｌ、７Ｒが折り畳み状態となってからの経過時間が所定時間よりも短い場合（Ｓ４９：ＮＯ）、センサ基板７Ｌ、７Ｒを第１省電力状態で継続して動作させる。これによって、ＣＰＵ２１は、及びセンサ基板７Ｌ、７Ｒが折り畳み状態から見開き状態に戻された場合に、センサ基板７Ｌ、７Ｒを元の通常状態に適切に復帰させることができる。 
【００７２】
ＣＰＵ２１は、センサ制御基板２８、２９に対する電源の供給をＯＦＦすることによって、センサ基板７Ｌ、７Ｒを第２省電力状態で動作させる。又、センサ基板７Ｌ、７Ｒの複数のコイルに対する電流の通電を停止させて消費電力を抑制できるだけでなく、センサ制御基板２８、２９のＡＳＩＣ２８Ａ、２９Ａの消費電力も抑制できる。このため、ＣＰＵ２１は、読取装置２の消費電力を大幅に抑制できる。
【００７３】
なお、センサ基板７Ｌ、７Ｒは本発明の「検出部」の一例である。Ｓ１３、Ｓ１７、２３の処理を行うＡＳＩＣ２８Ａは本発明の「第１判断手段」の一例である。Ｓ２１の処理を行うＡＳＩＣ２８Ａ、及び、Ｓ５１の処理を行うＣＰＵ２１は、本発明の「切替手段」の一例である。Ｓ２１の処理を行うＡＳＩＣ２８Ａは本発明の「第１切替手段」の一例である。Ｓ５１の処理を行うＣＰＵ２１は、本発明の「第２切替手段」の一例である。
【００７４】
なお、本発明は上記実施形態に限定されず、種々の変更が可能である。上記実施形態において、読取装置２は、センサ基板７Ｌ、７Ｒを備えていた。これに対し、読取装置２は、曲折及び伸長が可能な１つのセンサ基板を備えていてもよい。ＡＳＩＣ２８Ａは、１つのセンサ基板のうち左側部分の動作を制御し、ＡＳＩＣ２９Ａは、１つのセンサ基板のうち右側部分の動作を制御してもよい。
【００７５】
第１省電力状態において、連続送信状態のセンサ基板７Ｌのうち電流を通電させる区分コイル５１の位置は、センサ基板７Ｒと離隔する位置でなくてもよい。例えば、電流を通電させる区分コイル５１の位置は、センサ基板７Ｒと近接する位置であってもよい。又、ＡＳＩＣ２８Ａは、電流を通電させる区分コイル５１の位置を、設定により切り替え可能としてもよい。
【００７６】
第１省電力状態において、連続送信状態のセンサ基板７Ｌでは、区分コイル５１にのみ電流が間欠的に通電された。これに対し、連続送信状態のセンサ基板７Ｌにおいて、複数のループコイルの全てに電流が間欠的に通電されてもよい。この場合、電流が通電される周期を大きくすることによって、センサ基板７Ｌの消費電力を抑制できる。
【００７７】
ＡＳＩＣ２８Ａは、連続受信状態のセンサ基板７Ｌ、７Ｒの複数のループコイルに誘導電流が流れていることを検出した場合（Ｓ１３：ＹＥＳ、Ｓ１７：ＹＥＳ）、読取装置２を第１省電力状態で動作せず、通常状態のまま動作させてもよい。なおこの場合、センサ基板７Ｌ、７Ｒにおいて複数のループコイルを送信状態とする時間を、通常状態よりも短くし、受信状態とする時間を、通常状態よりも長くしてもよい。これによって、センサ基板７Ｌの消費電力を抑制できる。
【００７８】
第１省電力状態において、ＡＳＩＣ２８Ａは、センサ基板７Ｌを送受信状態で動作させ、センサ基板７Ｒを連続受信状態で動作させてもよい。なおこの場合、センサ基板７Ｌにおいて複数のループコイルを送信状態とする時間を、通常状態よりも短くし、受信状態とする時間を、通常状態よりも長くしてもよい。これによって、センサ基板７Ｌの消費電力を抑制できる。
【００７９】
上記実施形態において、ＣＰＵ２１は、上記のＡＳＩＣメイン処理（図６参照）及びＣＰＵメイン処理（図７参照）の両方を実行してもよい。なお、ＣＰＵ２１がＡＳＩＣメイン処理を実行する場合、ＡＳＩＣ２８Ａに指示信号を出力し、ＡＳＩＣ２８Ａ、２９Ａにセンサ基板７Ｒ、７Ｌを制御させてもよい。この場合、センサ基板７Ｌ、７Ｒが本発明の「検出部」に対応する。Ｓ１３、Ｓ１７、２３の処理を行うＣＰＵ２１が本発明の「第１判断手段」に対応する。Ｓ２１、Ｓ５１の処理を行うＣＰＵ２１が本発明の「切替手段」に対応する。Ｓ２１の処理を行うＣＰＵ２１が本発明の「第１切替手段」に対応する。Ｓ５１の処理を行うＣＰＵ２１が本発明の「第２切替手段」に対応する。ＡＳＩＣ２８Ａ、２９Ａが本発明の「制御部」に対応する。
【符号の説明】
【００８０】
１        ：手書入力システム
２        ：読取装置
２Ｌ      ：左読取装置
２Ｒ      ：右読取装置
３        ：電子ペン
７Ｌ、７Ｒ      ：センサ基板
２１      ：ＣＰＵ
２８、２９      ：センサ制御基板
２８Ａ、２９Ａ    ：ＡＳＩＣ
４０      ：トランジスタ
４２      ：電池
【図１】
0006274116.tif 000002
【図２】
0006274116.tif 000003
【図３】
0006274116.tif 000004
【図４】
0006274116.tif 000005
【図５】
0006274116.tif 000006
【図６】
0006274116.tif 000007
【図７】
0006274116.tif 000008